(57)【要約】【課題】塗布芯の周囲に液誘導部を設けた場合に中継芯から確実に液の供給が可能な塗布具を提供する。【解決手段】塗布部を軸筒内に設け、中継芯によって液を塗布部に誘導する塗布具において、前記軸筒内には、前記塗布部の周囲に管状の液誘導体を配置して当該液誘導体が前記塗布部の外周に接し、該液誘導体の後方から中継芯及びコレクターを装着したものであり、前記中継芯又は前記コレクターには複数の塗布液誘導溝を形成した塗布具。【選択図】図１
2018192794.tif 000002
【特許請求の範囲】
【請求項１】
塗布部を軸筒内に設け、中継芯によって液を塗布部に誘導する塗布具において、
前記軸筒内には、前記塗布部の周囲に管状の液誘導体を配置して当該液誘導体が前記塗布部の外周に接し、該液誘導体の後方から中継芯及びコレクターを装着したものであり、
前記中継芯又は前記コレクターには塗布液誘導溝を形成したことを特徴とする塗布具。
【請求項２】
前記コレクターの前端の内周面に段部を形成し、当該段部には、塗布液誘導溝が形成されていることを特徴とする請求項１記載の塗布具。
【請求項３】
前記段部には、前記液誘導体の後端を係止する係止部が形成されていることを特徴とする請求項２記載の塗布具。
【請求項４】
前記中継芯は、ホルムアルデヒドを含まない材料で形成されることを特徴とする請求項１〜３の何れか１項記載の塗布具。
【請求項５】
塗布具の重心は軸方向に対して後部に配置されていることを特徴とする請求項１〜４の何れか１項記載の塗布具。
【発明の詳細な説明】
【技術分野】
【０００１】
本発明は、筆記具あるいは化粧用具等の、インクあるいは化粧液等の塗布液を塗布するための塗布具に関する。
【背景技術】
【０００２】
周知のように、筆ペン等の筆記具あるいは化粧用具等、インクあるいは化粧液等の塗布液を紙面あるいは肌面等の塗布媒体に塗布する塗布具として、従来種々のものが用いられている。
【０００３】
特に細く塗布する需要が増大しており、それに対応すべく塗布部が小径ながら先端部分への塗布液の誘導を確実に行って、塗布液を良好な状態で塗布しようとする塗布具が開示されている。
【０００４】
例えば特許文献１において、筆記部の中に中芯を装入して液を誘導する塗布具が開示されており、塗布具の塗布液漏れを防止するために、コレクターを先軸と軸体によって覆っている。
【０００５】
また、特許文献２において、細筆の外周に溝の有る液供給部を設けた構造が開示されるが、液供給部が中綿に圧入することにより固定するものであるが、コレクター式の場合は具体的な固定手段が開示されていない。
【先行技術文献】
【特許文献】
【０００６】
【特許文献１】特開２０１５−２９８４号公報
【特許文献２】特開２０１２−１０１３９５号公報
【発明の概要】
【発明が解決しようとする課題】
【０００７】
本発明は、斯かる実情に鑑み、塗布部の周囲に設けた液誘導部に中継芯から確実に液の供給が可能な塗布具を提供するものである。
【課題を解決するための手段】
【０００８】
本発明は、塗布部を軸筒内に設け、中継芯によって液を塗布部に誘導する塗布具において、前記軸筒内には、前記塗布部の周囲に管状の液誘導体を配置して当該液誘導体が前記塗布部の外周に接し、該液誘導体の後方から中継芯及びコレクターを装着したものであり、前記中継芯又は前記コレクターには塗布液誘導溝を形成したことを特徴とする塗布具である。
【０００９】
本発明において、前記コレクターの前端の内周面に段部を形成し、当該段部には、塗布液誘導溝が形成されていることが好適である。段部を経由しても確実な塗布液の誘導ができる。
【００１０】
本発明において、前記段部には、前記液誘導体の後端を係止する係止部が形成されていることが好適である。
【００１１】
本発明において、前記中継芯は、ホルムアルデヒドを含まない材料で形成されることが好適である。ホルムアルデヒドを含まない材料とは、アセタール樹脂、フェノール樹脂、ユリア樹脂及びメラミン樹脂などの合成樹脂を実質的に含まない材料をいう。具体的には、対象物即ち中継芯をＶＤＡ２７５試験方法に従って測定したポリアルデヒド固形分の全重量を基準にして５００ｐｐｍ未満、好ましくは２００ｐｐｍ未満の遊離のホルムアルデヒドしか含まないことを示す。
【００１２】
本発明において、塗布具の重心は軸方向に対して後部に配置されていることが好適である。
【発明の効果】
【００１３】
本発明の塗布具によれば、前記コレクター又は中継芯に溝を形成することによって、塗布液流出性が向上するため、前記中継芯から液誘導体、塗布部に確実に液の供給が可能になるという優れた効果を奏し得る。
【００１４】
特に、塗布部にフランジ部が形成されている場合、その外径に寸法が依存しないため、塗布部の小型化が容易となる。
【００１５】
また、中継芯は、ホルムアルデヒドを含まない材料とすることによって、化粧液等の塗布液内へのホルマリン溶出を防ぎ、安全性の高い塗布具を提供することができる。オレフィン系エラストマーを用いることが好適である。
【００１６】
また、塗布具の重心を後部とすることで、目元等に塗布する際の安定した使い心地を提供することができる。
【図面の簡単な説明】
【００１７】
【図１】本発明の第１実施形態に係るコレクター式塗布具のキャップを装着した状態の説明図であって、（ａ）が全体側面図、（ｂ）が（ａ）のＢ−Ｂ線に沿う全体縦断面図、（ｃ）が（ｂ）における筆記部からコレクター前部にかけての部分拡大縦断面図である。
【図２】前記第１実施形態に係るコレクター式塗布具のキャップを外した状態の説明図であって、（ａ）が全体側面図、（ｂ）が（ａ）のＢ−Ｂ線に沿う全体縦断面図、（ｃ）が（ｂ）における筆記部からコレクター前部にかけての部分拡大縦断面図である。
【図３】前記第１実施形態に係るコレクター式塗布具の液誘導体の部品図であり、（ａ）が前方からの斜視図、（ｂ）前方からの視図、（ｃ）が側面図、（ｄ）が（ｃ）のＤ−Ｄ線に沿う縦断面図、（ｅ）が後方からの斜視図、（ｆ）が後方からの視図である。
【図４】前記第１実施形態に係るコレクター式塗布具のコレクターの部品図であり、（ａ）が前方からの視図、（ｂ）がスリット側から見た一側面図、（ｃ）が（ａ）のＣ−Ｃ線に沿う縦断面図、（ｄ）が別の側面図、（ｅ）が（ａ）のＥ−Ｅ線に沿う縦断面図、（ｆ）が後方からの視図である。
【図５】前記第１実施形態に係るコレクター式塗布具のコレクターの斜視図であり、（ａ）がやや前方からの斜視図、（ｂ）が前方からの斜視図、（ｃ）が後方からの斜視図である。
【図６】前記第１実施形態に係るコレクター式塗布具のコレクターと塗布部とを組み合わせた斜視図である。
【図７】前記第１実施形態に係るコレクター式塗布具のコレクターと液誘導体と塗布部とを組み合わせた斜視図である。
【図８】前記第１実施形態に係るコレクター式塗布具の中継芯の部品図であり、（ａ）が斜視図、（ｂ）が側面図である。
【図９】前記第２実施形態に係るコレクター式塗布具のキャップを外した状態の説明図であって、（ａ）が全体側面図、（ｂ）が（ａ）のＢ−Ｂ線に沿う全体縦断面図、（ｃ）が（ｂ）における筆記部からコレクター前部にかけての部分拡大縦断面図である。
【図１０】前記第２実施形態に係るコレクター式塗布具のコレクターの部品図であり、（ａ）が前方からの視図、（ｂ）がスリット側から見た一側面図、（ｃ）が（ａ）のＣ−Ｃ線に沿う縦断面図、（ｄ）が別の側面図、（ｅ）が（ａ）のＥ−Ｅ線に沿う縦断面図、（ｆ）が後方からの視図である。
【図１１】前記第２実施形態に係るコレクター式塗布具のコレクターと中継芯を組み合わせた部品図であり、（ａ）が前方からの視図、（ｂ）一側面図、（ｃ）が（ａ）のＣ−Ｃ線に沿う縦断面図、（ｄ）が前方からの斜視図、（ｅ）が後方からの斜視図、（ｆ）が後方からの視図である。
【図１２】前記第２実施形態に係るコレクター式塗布具の中継芯の部品図であり、（ａ）が前方からの視図、（ｂ）上方（スリット側）からの視図（一側面図）、（ｃ）が（ａ）のＣ−Ｃ線に沿う縦断面図、（ｄ）が別の側からの視図（他側面図）、（ｅ）が（ａ）のＥ−Ｅ線に沿う縦断面図、（ｆ）が前方からの斜視図、（ｇ）が後方からの斜視図、（ｈ）が後方からの視図である。
【発明を実施するための形態】
【００１８】
以下、本発明の実施形態について添付図面を参照して説明する。
【００１９】
図１〜図８は、第１の実施形態に係るコレクター式塗布具に関する説明図である。図１は、当該コレクター式塗布具でキャップを装着した状態、図２はキャップを外した状態をそれぞれ示す。図３が液誘導体（例えば焼結体）、図４、図５がコレクターの各部品図である。図６がコレクターと塗布部との組み合せた組図、図７がコレクターと塗布部と液誘導体を組み合せた組図、図８が中継芯の部品図である。
【００２０】
図１、図２に示すように、この塗布具は塗布部１０を先軸（「軸筒」に相当）１２内に設け、コレクター１８内の装着された中継芯１４によって塗布液（単に「液」とも記載する）を塗布部１０に誘導するものである。この塗布具においては、前記先軸１２内に、前記塗布部１０の周囲に管状の液誘導体２０を配置し、前記塗布部１０の前端部が前記先軸１２先端から突出・露出している。前記液誘導体２０は、前記塗布部１０の外周に接している。また、前記先軸１２内において、該液誘導体２０の後端部を包み込むようにコレクター１８の先端部が装着される。当該コレクター１８内の前記中継芯１４の先端が塗布部１０の後端面に接して液を誘導する構成とし、前記コレクター１８では複数の塗布液誘導溝１８ｄ（図４参照）を経由して前記中継芯１４から前記液誘導体２０に塗布液を誘導するようにした塗布具としている。なお、後述する第２実施形態に係るコレクター式塗布具のように、前記中継芯１４に塗布液誘導溝１４ｂ（図１２参照）を形成することもできる。
【００２１】
更に具体的な構成について、図面を参照して説明する。
【００２２】
第１の実施形態に係る塗布具は、図１、図２に示すように、後端部が拡径したフランジ１０ａに形成された塗布部１０を先軸１２内に設け、中継芯１４によって液を塗布部１０に誘導する塗布具である。
【００２３】
先軸１２が軸体１６（内部が液収容部１６ａを構成）の先端に嵌着させて固定される。前記先軸１２及び軸体１６内には、コレクター１８が装着されている。
【００２４】
〔コレクター１８〕
コレクター１８の内部には、図１、図２に示すように、先端から後端まで軸方向に沿う中空孔１８ａが貫通形成され、当該中空孔１８ａ内に前記中継芯１４が装着されている。また、コレクター１８の外部には、枚葉体１８ｂが間隔をおいて複数配列され、枚葉体１８ｂ間に液を保留するコレクター１８の機能を発揮するようになっている。図４（ｅ）に示すように、枚葉体１８ｂを縦方向（軸方向）に切り込むようにスリット１８ｃが形成され、また、中空孔１８ａ内にはリブ１８ａ１が形成されており、当該リブ１８ａ１にて前記中継芯１４を支える構造になっている。
【００２５】
前記コレクター１８には、スリット１８ｃを介して枚葉体１８ｂ間に毛細管力によって液が一時保留され流入・流出可能になっている。コレクター１８は先軸１２から前記軸体１６にかけての内部に装着されており、当該コレクター１８の後部から軸体１６内が液収容部１６ａになる（図１、図２参照）。前記コレクター１８の中空孔１８ａ内に装着された中継芯１４の後端面（後端部）が前記液収容部１６ａに露出し、該中継芯１４が前記液収容部１６ａ内の液を前方に向けて誘導する構成である。
【００２６】
前記コレクター１８の先端部は、図４に示すように、カップ状を呈し、そのカップの先端部が先軸１２内部に形成された段差部１２ｄに嵌り込んで位置決めされる。また、図１、図２に示すように、コレクター１８のカップ状の先端部の内側に形成された前側の段部１８ｅ１によって前記先軸１２内の液誘導体２０の後端を押圧している。また、前記コレクター１８内の中継芯１４の先端が塗布部１０の後端に当接している。前記コレクター１８の後端部は前記液収容部１６ａに露出しており、コレクター１８の内圧が上がると前記液収容部１６ａ内の塗布液がスリット１８ｃを経由して前記コレクター１８の枚葉体１８ｂ間に保留される。前記先軸１２には内外を通気させる空気孔１２ｂが形成されている。その空気孔１２ｂから、該先軸１２の内部に外気が流通し、したがって、前記先軸１２内収容の前記コレクター１８外周の前記枚葉体１８ｂやスリット１８ｃに外気が流通する。前記液収容部１６ａの内圧変動があっても、前記先軸１２内の通気によって緩和し、塗布部１０等からの塗布液の吹き出し、塗布液切れ等を防止している。
【００２７】
詳しくは、図４−図６に示すように、コレクター１８の先端側は椀状を呈しておりその内周部において、軸方向に沿って複数の塗布液誘導溝１８ｄを形成し、当該塗布液誘導溝１８ｄによって、先軸１２（軸筒）からの塗布液を通すため安定した流出を得ることができる。当該塗布液誘導溝１８ｄは、幅が塗布液の粘度や毛細管力に適切に対応して塗布部に塗布系を誘導することが好ましいが、実施形態では０．１〜０．５ｍｍが好ましい。
【００２８】
コレクター１８の複数の塗布液誘導溝１８ｄ形成箇所には、軸方向に前側の段部１８ｅ１、後ろ側の段部１８ｅ２を形成している。つまり、前記段部には、前記液誘導体２０の後端を係止する係止部が形成されている前側の段部１８ｅ１と、塗布部１０の後端のフランジ１０ａを係止する後ろ側の段部１８ｅ２とを有している。そしてそれらの前側の段部１８ｅ１、後ろ側の段部１８ｅ２の後方に中継芯１４の前部の凹部１４ａに係止する凸部１８ｆが内径方向に突出して形成されている。
【００２９】
なお、液誘導体２０の固定においては、図１に示すように、当該液誘導体２０の外面を先軸１２の内面によって押し当てるような干渉部分２２を先軸１２内に設けてもよい。
【００３０】
〔軸体１６〕
軸体１６には、図１、図２に示すように、隔壁１６ｂで仕切られ隔壁より先方が液収容部１６ａに有り、隔壁１６ｂより後方が筒状で開口し、その開口部が尾栓１６ｃで塞がれている。当該尾栓１６ｃの色の選択等によって外観意匠を向上できる。
【００３１】
また、前記軸体１６の先方部には、前記先軸１２の後部（フランジ部１２ａよりも後部）が嵌入し、その先軸１２内に装着されたコレクター１８の後部が、前記軸体１６の先方部内に隣接している。
【００３２】
前記軸体１６の先方部内において、前記コレクター１８の後部と前記隔壁１６ｂとの間が前記液収容部１６ａになっており、その液収容部１６ａ内には液（塗布液）と共に当該液を攪拌するための攪拌ボール１６ｄが収容されている。
【００３３】
〔先軸１２〕
前記先軸１２は、図１、図２に示すように、先方部がテーパー状に先細く、後方部がパイプ状になった、全体が概略管状の中空構造の樹脂製品である。
【００３４】
また、先軸１２の先方部と後方部とがあり、後方部の外周面にフランジ部１２ａが外径方向外側に突出形成される。
【００３５】
また、前記先方部の内部が段状に細径になり（段差部１２ｄが形成される）、その細径になった部分に隣接する後方箇所に空気孔１２ｂが軸方向にやや沿って開通した状態に、周方向に複数箇所形成されている。
【００３６】
前記先方部の内面はテーパー状に先細くなり、先端では段状に縮径して先方の開口部１２ｃが形成されていて、その縮径した先方の開口部１２ｃの段部によって液誘導体２０の先端部が係止して抜け止めされる構造になっている。前記先軸１２では、前記先方の開口部１２ｃの内径が前記先方部及び後方部を通じて最も小径に形成されている。
【００３７】
また、先軸１２の先方の内部で前記空気孔１２ｂに隣接する箇所は、縮径した段差部１２ｄに繋がる。この段差部１２ｄには、前記コレクター１８の先端部が嵌り込んで固定されておいる。更に前記段差部１２ｄに隣接する先方箇所に後述する干渉部分２２である環状突起が内向きに突出形成することができる。干渉部分２２の突起より先方の先軸１２の内面は緩やかにテーパー状に縮径している。
【００３８】
前記先軸１２は後部が略円筒状に形成され、その後部外周に前記フランジ部１２ａが拡経して形成されている。前記先軸１２においてフランジ部１２ａよりも後方部分が前記軸体１６の先端部に挿入されて固定されている（図１、図２参照）。先軸１２の軸体１６への装着状態では、そのフランジ部１２ａが軸体１６の先端部に当接して、先軸１２が軸体１６内に潜り込まないようになっている。
【００３９】
なお、先軸１２のフランジ部１２ａの後部外周には、軸体１６に嵌合する際に抜け止めて固着するための凹凸部が複数箇所形成されている。その複数箇所に対応する軸体１６の内周部の箇所にも凹凸部が形成されおり、互いに嵌着して液密を保持し、抜け止めしている。
【００４０】
〔キャップ２４〕
前記塗布具において、図１に示すように、塗布部１０から先軸１２にかけて不使用時に覆うキャップ２４は、インナーキャップ２４ａが先軸１２の空気孔１２ｂの後方斜面に気密を持って接している。キャップ２４の外壁を形成する本体内において、スプリング２４ｂでインナーキャップ２４ａが後方向きに付勢していている。キャップ２４の本体は、先軸１２に嵌着してフランジ部１２ａに当接する。
【００４１】
また、先軸１２、軸体１６、キャップ２４等は液密性の材料，例えばポリエチレン、ポリプロピレン、ＡＢＳ等の種々の樹脂材で形成できる。
【００４２】
〔塗布部１０〕
塗布部１０は複数の毛先を有する筆からなるものである。
【００４３】
前記塗布部１０は、筆形状であって、外径２．０ｍｍ以下の細筆にできる。塗布部１０の筆は、天然繊維、人工繊維のいずれでもよい。図１〜図２においては、塗布部１０は樹脂製の繊維を束ねたものであって、先端部が先端ほど細く形成された先細い形状であって、後端部が熱溶着によって外周方向に突出するフランジ状に成形されて（フランジ１０ａ）繊維がバラけないように固着される。塗布部１０の後端部において、周辺のフランジ１０ａは繊維同士の間が詰まっていて塗布液が浸み込みにくいが、中央部が繊維束同士の間から塗布液が浸み込み易くなっている。その塗布部１０の中央部に中継芯１４が突き当たって当該中継芯１４によって液収容部１６ａ内の液が誘導される構成になっている。
【００４４】
なお、塗布部１０の材質は、特に限定されないが、例えば、ポリアミド繊維、ＰＢＴ（ポリブチレンテレフタレート）等のポリエステル繊維からなる合成樹脂繊維が用いることが好適である。
【００４５】
〔液誘導体２０〕
図１、図２に示すように、前記先軸１２内には、前記塗布部１０の周囲に管状の液誘導体２０を配置して当該液誘導体２０が前記塗布部１０の外周に接しさせた状態で、該液誘導体２０の後部をコレクター１８前部に装着する。当該コレクター１８に中継芯１４を装着して、該中継芯１４の先端が塗布部１０の後端に接している。また、コレクター１８の椀状の先端部に前記液誘導体２０の後部が嵌り込み、コレクター１８の前側の段部１８ｅ１（図４参照）で前記液誘導体２０を先軸１２内で位置決めしている。
【００４６】
前記液誘導体２０は、実施形態では、焼結芯からなるが、液を流出可能であれば他の多孔体材料でもよい。また、図３に示すように、液誘導体２０の外周部は、後部２０ａが筒状であり、中央部から前部の外周部はテーパー状に先細くなっている。また、当該液誘導体２０の内周部はほぼ同径に形成されている。液誘導体２０の後端部に塗布部１０のフランジ１０ａが当接して、図２に示すように、塗布部１０を液誘導体２０から抜け止めするものである。
【００４７】
〔中継芯１４〕
中継芯１４は、図８に示すように、先端部周面に凹部１４ａが形成され、図１、図２に示すように、コレクター１８に嵌め込んだときにコレクター１８の内周突起（凸部１８ｆ：図４参照）が前記凹部１４ａに嵌合して抜け止めされる構造である。中継芯１４は、樹脂材質等の繊維束や成型芯などからなり、毛細管力を発揮して液を誘導可能な構造のものである。
前記中継芯１４の材料としては、オレフィン系エラストマー等の実質的にホルムアルデヒドを含まない材料で形成されることが好適である。ホルムアルデヒドを含む材料では中継芯１４から化粧液中にホルマリンが溶出するおそれがあり、化粧具として不適切だからである。また、前記中継芯１４の材料としては、ポリアセタール等のアセタール系やフェノール樹脂、接着剤に用いられるユリア樹脂及びメラミン樹脂などを含まない材料であることがさらに好適である。
【００４８】
〔化粧料〕
第１実施形態に係る塗布具は、塗布部１０として筆穂又はペン芯等の適宜のものを用いる液体化粧料塗布具であって、その液収容部１６ａに内蔵される液体化粧料は、少なくとも、カーボンブラックと、水と、皮膜形成性樹脂からなる分散剤０．５〜５質量％と、皮膜形成剤２〜１５質量％（固形分換算）と、界面活性剤０．５重量％以下とを含有し、かつ、ＥＬＤ型粘度計による温度２５℃、ずり速度３．８３Ｓ−１での粘度が２〜８ｍＰａ・ｓの範囲とすることができるものである。
【００４９】
化粧料に用いるカーボンブラックは、色材として用いるものであり、黒色系の液体化粧料の色材として通常使用されているカーボンブラックであれば、特に限定されず、各種のカーボンブラックを用いることができる。
【００５０】
このカーボンブラックの含有量は、液体化粧料全量に対して、１〜２０質量％が好ましく、更に好ましくは、５〜１５質量％である。このカーボンブラックの含有量が１質量％未満では、発色が薄くて化粧料として不十分となり、一方、２０質量％を超えると、粘度が高くなり過ぎて、コレクター式や中綿式などの液体化粧料塗布具では液がスムーズに吐出されなくなり、好ましくない。
【００５１】
前記化粧料に用いる分散剤は、皮膜形成性樹脂からなるものであり、色材であるカーボンブラックの分散性を向上させると共に、皮膜形成の樹脂としても機能するものである。
【００５２】
また、前記化粧料に用いることができる分散剤としては、上記機能を有するものであれば、特に限定されず、例えば、アクリル酸、メタクリル酸あるいはこれらのアルキルエステル又は誘導体、酢酸ビニル、ビニルピロリドンの中の１種又は２種以上から選択されるものからなる共重合体や、ベタイン型アルキル酸系両性樹脂などが挙げられ、好ましくは、カーボンブラックの更に分散性能の点から、アクリル酸、メタクリル酸あるいはそれらのアルキルエステル又は誘導体中から選ばれる１種と酢酸ビニルとの共重合体、ビニルピロリドンと酢酸ビニルとの共重合体、アクリル酸、メタクリル酸あるいはそれらのアルキルエステルの１種以上とオクチルアクリルアミドとの共重合体が望ましく、特に好ましくは、更に分散性能、皮膜形成能の点から、アクリル酸、メタクリル酸あるいはそれらのアルキルエステルの１種以上とオクチルアクリルアミドとの共重合体である。
【００５３】
これらの分散剤の含有量は、液体化粧料全量に対して、０．５〜５質量％が好ましく、更に好ましくは、２〜４質量％である。
【００５４】
この分散剤の含有量が０．５質量％未満では、色材であるカーボンブラックの分散安定性が不十分となり、一方、５質量％を超えて含有すると、粘度が高くなり過ぎて分散安定性の向上は見られず、経済的でない。
【００５５】
前記化粧料に用いる皮膜形成剤としては、例えば、アクリル酸、メタクリル酸あるいはそれらのアルキルエステル又は誘導体、スチレン、酢酸ビニルの中の１種又は２種以上のモノマーから選択されてなる共重合体のエマルジョン樹脂が挙げられる。
【００５６】
前記化粧料において、上記分散剤も皮膜形成性樹脂からなるものであり、上記分散剤との相違は、可溶性樹脂と、エマルジョン樹脂の点で異なるものであり、エマルジョン樹脂はモノマーを重合溶媒としての水の中で乳化重合させて得られた水懸濁液である。前記化粧料におけるカーボンブラックの分散において、エマルジョン樹脂よりも可溶性樹脂の方が安定したカーボンブラックの分散液が得られている。この点で分別して使用するものである。
【００５７】
前記皮膜形成剤（エマルジョン樹脂）の含有量は、固形分（樹脂分）換算で液体化粧料全量に対して、２〜１５質量が好ましく、更に好ましくは、２〜１０質量％とすることが望ましい。
【００５８】
これらの皮膜形成剤（エマルジョン樹脂）の含有量が、固形分（樹脂分）換算で２質量％未満では、耐水性能が悪く、一方、固形分（樹脂分）換算で１５質量％を超えて含有すると液体化粧料塗布具の塗布部（筆穂やペン芯等）が乾燥して塗布不能になる不具合が発生することが有り、好ましくない。
【００５９】
なお、これら皮膜形成剤（エマルジョン樹脂）の安定化に、界面活性剤が使用されることも有るが、これらに配合されている界面活性剤については、本願発明の固着性に関する影響は少ないので、含有量には、考慮しないものとする。
【００６０】
前記液体化粧料に用いる界面活性剤は、カーボンブラックの分散に関して、分散補助として機能させるものであり、例えば、ノニオン系界面活性剤、アニオン系面活性剤、カチオン系界面活性剤が挙げられ、レシチン、プロピレングリコール脂肪酸エステル、グリセリン脂肪酸エステル、ポリグリセリン脂肪酸エステルの他、ポリオキシエチレンアルキルエーテル、ポリオキシエチレンポリオキシプロピレンアルキルエーテル、ポリオキシエチレンアルキルエーテルリン酸・リン酸塩、ポリエチレングリコール脂肪酸エステル、アルキル硫酸塩、スルホン酸塩、ポリオキシエチレンアルキルエーテル硫酸塩などの１種又は２種以上の混合物が挙げられる。
【００６１】
これらの界面活性剤の含有量は、液体化粧料全量に対して、０．５質量％以下が好ましく、更に好ましくは、０〜０．３質量％とすることが望ましい。
【００６２】
この界面活性剤の含有量が０．５重量％を超えて含有すると、耐水性に劣り、充分な固着力を得ることができなくなり、好ましくない。
【００６３】
前記液体化粧料は、水（精製水、蒸留水、イオン交換水、純水、超純水等を含む）を溶媒とする。この水の含有量は、上記各成分、後述する任意成分を含有した残部となる。
【００６４】
更に、前記液体化粧料には、前記各必須成分等の他に、通常の液体化粧料に用いられる任意成分などを含有せしめることができる。具体的には、防腐剤、酸化防止剤、中和剤、紫外線吸収剤、キレート剤、保湿剤、美容成分、香料、粘度調整剤などを、前記化粧料の効果を損なわない範囲で適宜量含有せしめることができる。
【００６５】
前記液体化粧料は、ＥＬＤ型粘度計による温度２５℃、ずり速度３．８３Ｓ−１での粘度が２〜８ｍＰａ・ｓの範囲とするものであり、特に好ましくは、３ｍＰａ・ｓ〜６ｍＰａ・ｓとすることが望ましい。
【００６６】
この粘度値が２ｍＰａ・ｓ未満では、液がしわ等に流れ、にじみの原因となり、一方、８ｍＰａ・ｓを超えると粘度が高いため、本発明の塗布手段として筆穂又はペン芯を用いる液体化粧料塗布具に内蔵される液体化粧料では液がスムーズに吐出されなくなり、好ましくない。なお、粘度測定条件（後述する実施例等も含む）は、具体的には、トキメック社製、ＥＬＤ型粘度計標準コーンローター１ｒｐｍにおける温度２５℃、ずり速度３．８３（Ｓ−１）で測定した値を意味する。
【００６７】
第１実施形態に係る塗布具によれば、前記コレクター１８に複数の塗布液誘導溝１８ｄを形成することによって、塗布液流出性が向上するため、前記中継芯１４から液誘導体２０、塗布部１０に確実に液の供給が可能になるという優れた効果を奏し得る。
【００６８】
特に、塗布部１０にフランジ部１０ａが形成されているが、前記中継芯１４の先端部を突き当てているため、当該中継芯１４の外径に寸法が依存しないため、塗布部１０の小型化が容易となる。
【００６９】
図９〜図１２は第２の実施形態に係る塗布具の説明図である。
【００７０】
第１実施形態の塗布具と異なる点は、液を誘導する複数の溝がコレクター１８ではなく、中継芯１４に形成されていること、軸体１６内の後部に重量部品が収容されていることとしたものである。
【００７１】
詳しくは、図１０、図１１に示すように、コレクター１８には、第の１実施形態の塗布具のような塗布液誘導溝を形成せずに、その先端部から内部にかけて平坦面になっているものである。そして、図１２に示すように中継芯１４の外周に長手方向に亘った塗布液誘導溝１４ｂを複数形成したものである。当該塗布液誘導溝１４ｂは、その幅が塗布液の粘度や毛細管力に適切に対応して塗布部に塗布系を誘導することが好ましいが、実施形態では０．１〜０．５ｍｍが好ましい。また、中継芯１４の材料としては、ホルムアルデヒドを含まないエラストマー材料で形成されることが好適である。
また、中継芯１４の先端部１４ｃが拡径してコレクターの前側の段部１８ｅ１に嵌合するようになっている。そして、前記先端部１４ｃは椀状であり先端の凹所に塗布部１０の後端をフランジ１０ａとともに嵌合する構成である。
【００７２】
そして、第２の実施形態の塗布具では、軸体１６の隔壁１６ｂよりも後方部分に配置された尾栓１６ｃで閉じられた空間内に収容された充実体１６ｃ１を重量部品としたものである。この重量部品の充実体１６ｃ１を尾栓１６ｃによって軸筒１６後部に収容固定することで塗布具の重心が軸方向に対して中心から後方になるため、アイライン等での使用感を向上させることができる（図９参照）。
【００７３】
第２の実施形態に係る塗布具によれば、前記中継芯１４に複数の塗布液誘導溝１４ｂを形成することによって、塗布液流出性が向上するため、前記中継芯１４から液誘導体２０、塗布部１０に確実に液の供給が可能になるという優れた効果を奏し得る。
【００７４】
また、軸体１６の後部に重量物の充実体１６ｃ１を収容しているため、重量バランスが取れ塗りやすい。
【００７５】
また、第２の実施形態に好適な液体化粧料として、アクリル酸モノマー、メタクリル酸モノマー、アクリル酸エステルモノマー、メタクリル酸エステルモノマーから選ばれるモノマー同士を重合することにより得られるガラス転移点２０℃以下のアクリル酸系ポリマーの水性エマルジョンと、発酵セルロースと、少なくとも平板状顔料を含む色材と、水とを含む液体化粧料である。また、前記アクリル酸系ポリマーの水性エマルジョンを２〜２０質量％、前記発酵セルロースを０．０５〜０．６質量％、前記少なくとも平板状顔料又は酸化鉄粒子と、キレート剤を含んだ色材を１〜３０質量％、ＥＭＤ型粘度計による温度２５℃、ずり速度７６．６Ｓ−１での粘度が３０〜２００ｍＰａ・ｓであることを特徴とする液体化粧料が好適である。この第２の実施形態により、塗布しても皮膚の上で掠れず、光輝性の色むらもなく、タレ落ち（ボタ落ち）の少ない低粘度で光輝性の描線が濃く描くことができる塗布具を提供することができる。
【００７６】
詳しく液体化粧料を述べると、アクリル酸系ポリマーの水性エマルジョンとしては、アクリル酸モノマー、メタクリル酸モノマー、アクリル酸エステルモノマー、メタクリル酸エステルモノマーから選ばれる１種又は２種以上のモノマー同士を重合することにより得られるガラス転移点２０℃以下となる水性エマルジョンであれば、特に限定されず、各種の水性エマルジョンを用いることができる。
用いるアクリル酸系ポリマーの水性エマルジョンは、被膜形成剤として用いるものであり、好ましくは、造膜性、形成される被膜の弾力性の点から、ガラス転移点（Ｔｇ）が−２０℃以上〜２０℃以下となる水性エマルジョンの使用が望ましい。なお、ガラス転移点が２０℃超過のものでは、乾燥した化粧料の弾力性、被膜形成性が低下し、化粧持ちが低下することとなり、好ましくない。
本発明において、ガラス転移点（Ｔｇ）は、次のようにして測定した。まず、樹脂をラッカー状とし、ラッカー状とした樹脂を成膜し、次いで溶剤を乾燥させることにより、フィルム化した。フィルム化したアクリル系樹脂を、リガク社製の示差走査熱分析器（ＤＳＣ）を用いて、昇温速度１０℃／分で、−２０℃から＋１５０℃まで昇温して示差走査熱量を測定し、得られた吸熱曲線を微分して変極点を求め、この変極点をＴｇと判断した。  
【００７７】
具体的に用いることができるアクリル酸系ポリマーの水性エマルジョンとしては、アクリル酸アルキル共重合体エマルジョンであるヨドゾール  ＧＨ８００（ガラス転移点：−１５℃、固形分４５％、アクゾノーベル社製）、ヨドゾール  ＧＨ８１０Ｆ（ガラス転移点：１０℃、固形分４６％、アクゾノーベル社製）、アクリル酸アルキル共重合体エマルジョンであるＣＯＶＡＣＲＹＬ  ＭＳ１１（ガラス転移点：０℃、固形分５７％、ＳＥＮＳＩＥＮＴ社製）等が使用できる。
なお、必要に応じて、中和のために、例えば、２−アミノ−２−メチル−１−プロパノール、２−アミノ−２−メチル−１，３−プロパンジオール、トリエタノールアミン、Ｌ−アルギニン、アンモニア水、水酸化ナトリウム等を用いてもよい。
これらのアクリル酸系ポリマーの水性エマルジョンの含有量は、固形分（樹脂分）換算で液体化粧料組成物全量に対して、２〜２０質量％（以下、単に質量％を「％」という）が好ましく、更に好ましくは、５〜１５％とすることが望ましい。
これらの水性エマルジョンの含有量が、固形分（樹脂分）換算で２％以上とすることにより、耐水性を向上させることができ、一方、固形分（樹脂分）換算で２０％以下とすることにより、塗布具の塗布部を乾燥せしめることなく、良好な塗布性能を発揮せしめることができる。
なお、被膜形成剤となる水性エマルジョンについて、これらのエマルジョン自体を安定化させる目的で界面活性剤が用いられることがある。ここでの界面活性剤は、液体化粧料の性能である耐水性および肌密着性への影響が少ないため、添加量は特に限定されない。
【００７８】
本発明に用いる発酵セルロースは、アセトバクター属、シュードモナス属、アグロバクテリウム属等に分類されるセルロース産生菌が生産するセルロースをいい、例えば、酢酸菌を適正な培地で通気撹拌培養し、菌体から得られたセルロース繊維を分離・回収したものであり、水媒体中で非常に細かい三次元網目構造を形成する繊維性物質である。
用いることができる発酵セルロースは、市販のものを使用してもよいが、アセトバクター・キシリナム、アセトバクター・パスツリアナス等の酢酸菌を窒素源、炭素源、水、酸素などの栄養素を含有する培地で培養することによって得られるものを用いてもよい。例えば、ココナッツの果肉や果汁を上記酢酸菌その他のセルロース生産菌で発酵させて調製したものを本発明の発酵セルロースとして用いてもよい。
【００７９】
これらの発酵セルロースの含有量は、液体化粧料組成物全量に対して、０．０５〜０．６％を含有することが好ましく、更に好ましくは、０．０７〜０．４％とすることが望ましい。
これらの発酵セルロースの含有量、０．０５％以上とすることにより、平板状顔料の沈降を抑制し、光輝性で濃密なラインを描くことができ、一方、０．６％以下とすることにより、光輝性で伸びの良いラインを描くことができる。
【００８０】
本発明では、色材として、少なくとも平板状顔料を含む色材が用いられる。
本発明に用いる平板状顔料としては、例えば、マイカチタン、カルミン被膜マイカチタン、酸化クロム被膜マイカチタン、酸化鉄被膜マイカチタン、酸化鉄・カルミン被膜マイカチタン、酸化鉄・紺青被膜マイカチタン、青被覆マイカチタン、紺青被膜マイカチタン、ベンガラ被膜マイカ、ベンガラ被膜マイカチタン、ベンガラ・カルミン被膜マイカチタン、ベンガラ・酸化鉄被膜マイカチタン、ベンガラ・紺青被膜マイカチタン、ベンガラ・酸化鉄・紺青被膜マイカチタンなど、また、ガラスフレーク又は塊状フレークを母材とした上に、金属もしくは金属酸化物をコートした光輝性顔料などの少なくとも１種（各単独又は２種以上の混合物、以下同様）が挙げられる。
好ましくは、塗膜の均一性及び塗布性、優れた光輝性の描線が得られる点から、酸化鉄被膜マイカチタン、マイカチタン、青被覆マイカチタンが挙げられ、特に、酸化鉄被膜マイカチタン、マイカチタンの使用が望ましい。
これらの平板状顔料において、好ましくは、平均粒子径は５〜１００μｍとすることが望ましく、更に好ましくは、１０〜６０μｍであるものが望ましい。
これらの平均粒子径サイズの平板状顔料と発酵セルロースを配合することにより、水中での凝集がなく高分散性を実現でき、十分な色相と塗布具内での詰まりがなく、優れた吐出性能を実現することができるものとなる。ここで、本発明において、「平均粒子径」は、デジタルマイクロスコープＶＨＸ−２０００（キーエンス社製）より求めた値である。
これらの平板状顔料の含有量は、塗布性能、使用特性、光輝性の描線を得るために、液体化粧料組成物全量に対して、１〜３０％、好ましくは、５〜２５％が望ましい。
この平板状顔料の含有量が１％以上とすることにより、良好な使用性、光輝性のある塗布性の良好なものが得ら、一方、塗布性能、使用特性、光輝性の描線の点から３０％以下とすることが望ましい。
【００８１】
本発明において、アイメイク用液体化粧料としての着色の点から、該平板状顔料以外の顔料を用いることができる。
用いることができる顔料としては、例えば、カーボンブラック、酸化鉄粒子（黒酸化鉄粒子、黄酸化鉄粒子等）、酸化チタン、紺青、群青、青色１号、弁柄、酸化クロム、水酸化クロム、酸化亜鉛、酸化ジルコニウム、酸化コバルト、魚鱗箔、オキシ塩化ビスマス、青色２号、青色４０４号、赤色２０１号、赤色２０２号、赤色２２０号、赤色１０２号、赤色１０４号、黄色４号、黄色４号Ａｌレーキなどの顔料や、アルミコーティングポリエステルフィルムなどの少なくとも1種が挙げられる。
この顔料（上記平板状顔料を除く）の含有量の範囲は、後述するように、該顔料と平板状顔料を含む色材との合計含有量の範囲内で好適な量が調整される。
【００８２】
これらの平板状顔料を含む色材の含有量は、液体化粧料組成物全量に対して、１〜３０％が好ましく、更に好ましくは、５〜２５％である。
これらの平板状顔料を含む色材の含有量が１％未満では、発色が薄くて化粧料として不十分となり、一方、３０％を超えると、粘度が高くなり過ぎて、液体化粧料塗布具に用いた場合に液がスムーズに吐出されなくなり、好ましくない。
なお、本発明の効果を損なわない範囲で、液体化粧料組成物に用いられている上記顔料以外の有機顔料、染料などの色材を用いてもよい。
【００８３】
本発明の液体化粧料は、水（精製水、蒸留水、イオン交換水、純水、超純水等を含む）を溶媒とする。この水の含有量は、上記各成分、後述する任意成分を含有した残部となるものである。
更に、本発明の液体化粧料には、前記各成分の他に、通常の液体化粧料組成物に用いられる任意成分などを含有せしめることができる。具体的には、界面活性剤、顔料分散剤、保湿剤、防腐剤、酸化防止剤、中和剤、紫外線吸収剤、キレート剤、保湿剤、美容成分、香料、粘度調整剤などを、本発明の効果を損なわない範囲で適宜量含有せしめることができる。
【００８４】
用いることができる界面活性剤としては、例えば、ノニオン系、カチオン系、アニオン系のいずれの種類の界面活剤が使用可能である。具体的には、レシチン、プロピレングリコール脂肪酸エステル、グリセリン脂肪酸エステル、ポリグリセリン脂肪酸エステル、ポリオキシエチレンアルキルエーテル、ポリオキシエチレンポリオキシプロピレンアルキルエーテル、ポリオキシエチレンアルキルエーテル燐酸（燐酸エステル）、ポリエチレングリコール脂肪酸エステル・アルキル硫酸塩（スルホン酸エステル）、ポリオキシエチレンアルキルエーテル硫酸塩等が挙げられる。
これらの界面活性剤の含有量は、液体化粧料全量に対して、０．５％以下であることが好ましく、０．５％を超えて含有すると耐水性に劣り、充分な固着力を得ることが出来ない。
【００８５】
本発明では、顔料の分散性を更に向上させるために、分散剤を必要に応じて含有することができる。
用いることができる分散剤としては、特に限定されず、例えば、ポリアスパラギン酸ナトリウム、ベヘニルポリオキシエチレンエーテル、アクリル酸アルキル共重合体などを用いることができ、これらの分散剤は、液体化粧料全量に対して、０．１〜５％含有することができる。
用いることができるキレート剤としては、例えば、エデト酸又はその塩、エチレンジアミン三酢酸又はその塩、グルコン酸又はその塩、フィチン酸又はその塩、ピロリン酸又はその塩、ポリリン酸又はその塩、メタリン酸又はその塩、及びヒドロキシエタンジホスホン酸又はその塩、クエン酸又はその塩、酒石酸、グルコン酸、フィチン酸等が挙げられ、これらのキレート剤は、液体化粧料全量に対して、０．０１〜０．５％含有することができる。
用いることができる保湿剤としては、例えば、１，３−ブチレングリコール、１，４−ブチレングリコール、ペンチレングリコール、エチレングリコール、ジエチレングリコール、ポリエチレングリコール、プロピレングリコール、ジプロピレングリコール、グリセリン等の水に可溶なグリコール類等を適宜量用いることができる。
【００８６】
用いることができる防腐剤としては、パラベン類、デヒドロ酢酸ナトリウム、フェノキシエタノールなどが挙げられる。なお、本発明の防腐剤には防菌剤を含むものであり、防腐剤であるパラベン類としては、パラオキシ安息香酸メチル、パラオキシ安息香酸エチル、パラオキシ安息香酸プロピル、パラオキシ安息香酸ブチル、パラオキシ安息香酸イソプロピル等を適宜量用いることができる。
【００８７】
上記液体化粧料は、安定性、塗布性の点から、ＥＭＤ型粘度計による温度２５℃、ずり速度７６．６Ｓ−１で（２０ｒｐｍ）の粘度は３０〜２００ｍＰａ・ｓとすることが好ましい。
上記粘度範囲における更に好ましい範囲は、液体化粧料の配合成分の種類、用途（アイライナー、アイシャドウ、皮膚化粧料等）により変動するものであるが、更に好ましくは、４０〜１５０ｍＰａ・ｓとすることが望ましい。
この粘度値を３０ｍＰａ・ｓ以上とすることにより、光輝性で濃密なラインを描くことができ、一方、２００ｍＰａ・ｓ以下とすることにより、本発明の塗布手段として筆穂又はペン芯を用いる液体化粧料塗布具に内蔵される液体化粧料をスムーズに吐出せしめることができることとなる。
【００８８】
本発明において、粘度測定条件（後述する実施例等も含む）は、具体的には、東機産業社製、ＥＭＤ型粘度計を用いて各ずり速度で測定した値を意味する。
更に好ましくは、温度２５℃、ずり速度３８．３Ｓ−１で（１０ｒｐｍ）の粘度を４０〜３５０ｍＰａ・ｓ、また、ずり速度３８３ｓ−１（１００ｒｐｍ）の粘度を２０〜７０ｍＰａ・ｓとすることが望ましい。
また、上記粘度範囲にするためには、平板状顔料を含む色材、水、被膜形成剤となる水性エマルジョン、発酵セルロースなどの各成分の量を好適に組み合わせるにより行うことができる。
【００８９】
更に、本発明の液体化粧料は、塗布時ののびの良さの点から、Ｗｉｌｈｅｌｍｙ法（プレート法）による温度２５℃での表面張力を２５〜６０ｍＮ／ｍの範囲とすることが好ましく、より好ましくは、３０〜４５ｍＮ／ｍの範囲が望ましい。この表面張力が２５ｍＮ／ｍ以上とすることにより、塗布描線に滲みやムラがなく、スムーズな塗布が可能となり、また、６０ｍＮ／ｍ以下とすることにより、塗布液の追従性を良好にして、スムーズな塗布を行うことができる。
本発明において、表面張力の測定は、協和界面化学社製のCBVP-Z型表面張力計（プレート法）を用い、温度２５℃で得られた値をいう。
なお、上記表面張力の範囲にするためには、平板状顔料を含む色材、水、被膜形成剤となる水性エマルジョン、発酵セルロースなどの各成分の量を好適に組み合わせるにより行うことができる。
【００９０】
なお、本発明は上記実施形態に限定されず、本発明の範囲内で変形実施できる。例えば、液誘導体は多孔の焼結体が好適であるが、液誘導溝を内周又は外周に軸方向に沿って設けた樹脂成型体の液誘導体とすることもできる。
【産業上の利用可能性】
【００９１】
本発明の塗布具は、筆穂又はペン芯を塗布部としたアイライナー又はアイブロー等の化粧料容器のコレクター式塗布具に利用することができる。
【符号の説明】
【００９２】
１０  塗布部
１０ａ  フランジ
１２  先軸
１２ｃ  先方の開口部
１２ｄ  段差部
１４  中継芯
１４ａ  凹部
１６  軸体
１８  コレクター
１８ａ  中空孔
１８ｃ  スリット
１８ｄ  塗布液誘導溝
１８ｅ１  前側の段部
１８ｅ２  後ろ側の段部
１８ｆ  凸部
２０  液誘導体
２２  干渉部分
【図１】
2018192794.tif 000003
【図２】
2018192794.tif 000004
【図３】
2018192794.tif 000005
【図４】
2018192794.tif 000006
【図５】
2018192794.tif 000007
【図６】
2018192794.tif 000008
【図７】
2018192794.tif 000009
【図８】
2018192794.tif 000010
【図９】
2018192794.tif 000011
【図１０】
2018192794.tif 000012
【図１１】
2018192794.tif 000013
【図１２】
2018192794.tif 000014